(57)【要約】【目的】堅牢性と耐久性をそなえ、デザイン性、座り心地の良さにも優れ、屋内、屋外のいずれでも使用し得る汎用性を有するスツールを提供する。【解決手段】下方にわん曲した座面部と該座面部の両端から下方に延びる脚部をそなえ、座面部と脚部とを多数の穴を列設したアルミニウムの連続鋳造圧延板から一体成形したことを特徴とする。【選択図】 図１
2006198144.tif 000002
【特許請求の範囲】
【請求項１】
下方にわん曲した座面部と該座面部の両端から下方に延びる脚部をそなえ、座面部と脚部とを多数の穴を列設したアルミニウムの連続鋳造圧延板から一体成形したことを特徴とするスツール。
【請求項２】
前記座面部および脚部の厚さが５〜２０ｍｍであることを特徴とする請求項1記載のスツール。
【請求項３】
前記脚部の下端縁に、スツールの設置面に接しないよう加工された波形加工部が形成されていることを特徴とする請求項１または２記載のスツール。
【請求項４】
前記座面部および脚部の両端部は、穴が設けられていない板状部から構成されていることを特徴とする請求項１〜３記載のスツール。
【請求項５】
前記脚部の下端縁にゴムまたは樹脂製の脚を取り付けたことを特徴とする請求項１〜４のいずれかに記載のスツール。
【発明の詳細な説明】
【技術分野】
【０００１】
本発明は、スツール、詳しくは、多数の穴を列設したアルミニウムの連続鋳造圧延板から一体成形されたスツールに関する。
【背景技術】
【０００２】
インテリアに変化を求め、気軽に購入できる家具の一つとして椅子が注目されており、デザイン性の高い椅子が種々提案されている。例えば、緩やかにわん曲した２枚の成形合板の凸面側を接合して蝶が羽を広げたように左右対称に組み合わせた、バタフライスツールと言われる椅子が提案されている。また、座面部の両端から下方に延びる脚部を有する椅子であって、木製の座面部と脚部とを別々に作製してこれらを雁木状に結合し、２つの脚部間に支持材を介装してなるドイツ、ヴィトラ・デザイン・ミュージァムの「Ulmer  Hocker」が提案されている。
【０００３】
このような椅子の購入者は、リビングにおける椅子としての使用のみでなく、玄関に置いて靴を磨くときに腰掛けたり、踏み台として使用したり、庭の芝生の上に置いたりという希望もある。このため、デザイン性は勿論であるが、座り心地の良さ、堅牢性、耐久性も要求されることとなる。
【０００４】
上記提案のもののうち、前者のバタフライスツールはデザイン性には優れているが、強度、耐久性には問題がある。後者のものは、製作に手間がかかり、木製のため、耐久性に難点があり屋外での長期使用に耐えることが難しい。３枚の同じ形の合板をパズルのように組み合わせ、人が座ることで3本の脚に均等に荷重がかかり、より安定するよう構成されたZUMIスツールと呼ばれる椅子もあるが、同じく木製のため耐久性に難点がある。
【発明の開示】
【発明が解決しようとする課題】
【０００５】
本発明は、上記従来のスツールにおける問題点を解消するためになされたものであり、その目的は、堅牢性と耐久性をそなえ、デザイン性、座り心地の良さにも優れ、屋内、屋外のいずれでも使用し得る汎用性を有するスツールを提供することにある。
【課題を解決するための手段】
【０００６】
上記の目的を達成するための請求項１によるスツールは、下方にわん曲した座面部と該座面部の両端から下方に延びる脚部をそなえ、座面部と脚部とを多数の穴を列設したアルミニウムの連続鋳造圧延板から一体成形したことを特徴とする。
【０００７】
請求項２によるスツールは、請求項１において、前記座面部および脚部の厚さが５〜２０ｍｍであることを特徴とする。
【０００８】
請求項３によるスツールは、請求項１または２において、前記脚部の下端縁に、スツールの設置面に接しないよう加工された波形加工部が形成されていることを特徴とする。
【０００９】
請求項４によるスツールは、請求項１〜３のいずれかにおいて、前記座面部および脚部の両端部は、穴が設けられていない板状部から構成されていることを特徴とする。
【００１０】
請求項５によるスツールは、請求項１〜４のいずれかにおいて、前記脚部の下端縁にゴムまたは樹脂製の脚を取り付けたことを特徴とする。
【発明の効果】
【００１１】
本発明によれば、堅牢性と耐久性をそなえ、デザイン性、座り心地の良さにも優れ、屋内、屋外のいずれでも使用し得る汎用性を有するスツールが提供される。
【発明を実施するための最良の形態】
【００１２】
図１に示すように、本発明に係るスツール１においては、下方にわん曲した座面部２と座面部２の両端から下方に延びる脚部３をそなえ、座面部２と脚部３とを多数の穴を列設したアルミニウムの連続鋳造圧延板Mから一体成形する。
【００１３】
多数の穴を列設したアルミニウム（アルミニウム合金を含む、以下同じ）の連続鋳造圧延板は、水冷ロールを用いるハンター法、スチールベルトを使用するハゼレー法、その他アルミニウム溶湯を連続鋳造圧延する公知の方式（連続鋳造後に熱間圧延機を通すものも含む）により得られ、得られたアルミニウムの連続鋳造圧延板は、必要に応じて矯正し、長さ方向および幅方向に整直化して、連続的にあるいは一旦巻き取ってコイルとした後、または切板とした後、打ち抜きプレスを通して、所定サイズ、所定配列の穿設穴を列設したパンチング板とする。連続鋳造圧延板においては、通常の圧延板に比べて大幅なコスト低減が実現でき、例えば肉厚５〜５０ｍｍ穴開き板を簡単に製造することができる。なお、上記パンチング板においては、穴部の端縁部がプレスによる打ち抜き加工の際、鋭いエッジ部が形成されることがあるから、ドリルなど適宜の手段で整形しておくことがさらに望ましく、全体的または部分的にブライト仕上げやブラシ仕上げを行ってもよい。
【００１４】
本発明のスツールは、上記アルミニウムの連続鋳造圧延板Mをプレス加工など、適宜の手段で曲げ成形することにより作製される。座面部２は下方にわん曲しているから、良好な座り心地が得られ、また、座面部２の強度向上にも役立つ。本発明においては、座面部２および脚部３の厚さを５〜２０ｍｍとするのが好ましく、５ｍｍ未満では強度面で十分でない場合がある。アルミニウムの連続鋳造圧延板Mは、耐食性に優れ、屋外での長期使用にも耐えることができる。アルミニウムの連続鋳造圧延板Mに対し、必要に応じて陽極酸化処理などの表面処理を施せば、さらに耐食性を向上させることができ、着色により意匠性を与えることもできる。
【００１５】
脚部３の下端縁４は、切断したままでは、とくに屋内での使用において床面に接して床面を損傷し、持ち運びの際に怪我をする恐れがあるから、スツール１の設置面に接しないよう加工された波形加工部５に成形するのが望ましく、この成形により安全性と意匠性を与えることができる。
【００１６】
座面部２および脚部３の両端部は、堅牢性、デザイン性の観点から、穴が設けられていない板状部６から構成するのが好ましい。必要に応じて、脚部３の下端縁４にゴムまたは樹脂製の脚７を取り付ける。２つの脚部３の間に補強用の支持材（図示せず）を介装することもできる。
【００１７】
本発明によるスツールは、屋内、屋外のいずれでも使用し得る特性をそなえ、座面部２および脚部３の厚さを変えれば、サイズの変更も自在であり、デザイン性にも優れているから、見て座ってくつろげるものとなる。
【実施例】
【００１８】
以下、本発明の実施例を説明する。この実施例は、本発明の一実施態様であり、本発明はこれに限定されるものではない。
【００１９】
アルミニウムの連続鋳造圧延板（幅３００ｍｍ、両端部の板状部６の幅はそれぞれ５０ｍｍ、厚さ９．２ｍｍ）をプレス成形して、下方にわん曲した座面部２の長さ６００ｍｍ、幅５００ｍｍ、脚部３の高さ４６０ｍｍ、座面部２から脚部３への曲げ半径（内側）６０ｍｍのスツールを作製し、脚部３の下端縁４を図１に示すような波形加工部５に成形した。脚部３の下端縁４には４隅に樹脂製の脚７をビスで取り付けた。
【００２０】
このスツールは、堅牢で人が載っても折れ曲らない十分な強度を有し、屋外で長期間使用した場合にも十分な耐久性をそなえていた。デザイン性、美観にも優れている。
【図面の簡単な説明】
【００２１】
【図１】本発明の実施例を示す斜視図である。
【符号の説明】
【００２２】
１  本発明のスツール
２  座面部
３  脚部
４  下端縁
５  波形加工部
６  板状部
７  脚
M  アルミニウムの連続鋳造圧延板
【図１】
2006198144.tif 000003